【事件の表示】
　特願２００６−２４２１４２「真円ロータリーエンジンのシール」拒絶査定不服審判事件〔平成２０年　２月１４日出願公開、特開２００８−　３１９７７〕について、次のとおり審決する。
【結　論】
　本件審判の請求は、成り立たない。
【理　由】
１．手続の経緯
　本件出願は、平成１８年７月３１日の出願であって、同年１１月２０日付けで明細書及び特許請求の範囲を補正する手続補正書が提出され、平成２１年１２月１６日付けの拒絶理由通知に対し、平成２２年３月２日付けで意見書が提出されたが、同年６月４日付けで拒絶査定がなされ、これに対し、平成２２年７月１４日付け（７月１５日受け付け）で拒絶査定不服審判の請求がなされたものである。
　
２．本願発明
　本件出願の請求項１ないし５に係る発明は、平成１８年１１月２０日付け手続補正により補正された特許請求の範囲及び明細書並びに本件出願の願書に最初に添付した図面の記載からみて、特許請求の範囲の請求項１ないし５に記載された事項により特定されるとおりのものと認められるところ、その請求項１ないし３に係る発明（以下、「本願発明１ないし３」という。）は次のとおりである。
　
「　【請求項１】
真円ロータリーエンジンのロータの先端部の角部の角の方に欠けた穴を設け、穴に微回転（６３）．（５３）を設け、微回転（６３）．（５３）．の中に内部からバネで押された微出入（５２）．（６４）を設け、前記穴に微出入（５２）．（６４）入れの微回転（６３）．（５３）を設ける事を特徴とした真円ロータリーエンジンのシール
　　【請求項２】
吸入弁（３１）でロータ後部（１６）に接する方の角部で角の方に欠けた円状の空部を設け空部に微出入（７２）を設けた微回転（７１）を設ける事を特徴とした吸入弁のシール。
　　【請求項３】
排気弁（３２）でロータ前部（８）と接する方の角部で角の方に欠けた円状の空部を設け、空部に微出入（８３）を設けた微回転（８１）を設ける事を特徴とした排気弁のシール。」
　
３．引用刊行物の記載事項
３−１．刊行物１
（１）原査定の拒絶の理由に引用された刊行物である、特開２００６−５２７２１号公報（平成１８年２月２３日出願公開。以下、「刊行物１」という。）には、例えば、下記の事項が図面とともに記載されている。
　
（ア）「【請求項４】
吸入弁先端部に溝を設けて溝に柔軟シール（４１）を設けてその先端に鋼製シール（４０）を設ける事を特徴とした真円ロータリーエンジンのシール。
・・・中略・・・
【請求項７】
排気弁（３２）の先端部に溝を設けて柔軟シール（５１）を設けその先端に鋼製シール（５０）を設ける事を特徴とした真円ロータリエンジンのシール。
・・・中略・・・
【請求項１０】
ロータ（１０）先端部に溝を設け、溝に柔軟シール（６２）を設けてその先端部に何本かの鋼製シール（６０）、（６１）を設ける事を特徴とした真円ロータリーエンジンのシール。
・・・中略・・・
【請求項１３】
吸入弁（３１）の先端部にひっかけ付きの溝を設けて溝にひっかけ付きの柔軟性のシール４１Ａを設ける事を特徴とした真円ロータリーエンジンのシール。
【請求項１４】
吸入弁（３１）の先端部にひっかけ付きの柔軟性の材質（４１Ｂ）に圧縮気体を入れる空洞にして表側を鋼製シール（４０Ａ）にし奥の方に柔軟性の材質（４１Ｂ）に圧縮気体を入れる空洞を設ける事を特徴とし真円ロータリーエンジンのシール。
【請求項１５】
溝の奥の方にひっかけ付きの柔軟性の材質（４１Ｂ）に空洞を設けて圧縮気体を入れてその表側に鋼製シール（４０Ａ）を設ける事を特徴とした請求項１４記載真円ロータリーエンジンのシール。
【請求項１６】
吸入弁（３１）先端部にひっかけ付きの溝を設けて溝の中の外側にひっかけ付きの柔軟性の材質（４１Ｄ）にしその内側にひっかけ付きの鋼製シール（４０Ｂ）を設ける事を特徴とした真円ロータリーエンジンのシール。
【請求項１７】
排気弁（３２）の先端部にひっかけ付きの溝を設け溝の中の外側にひっかけ付きの柔軟性の材質（５１Ａ）にしその内側にひっかけ付きの鋼製シール（５０Ａ）を設ける事を特徴とした真円ロータリーエンジンのシール。
【請求項１８】
排気弁（３２）の先端部にひっかけ付きの溝を設け、溝の中にひっかけ付きの柔軟シール（５０Ｂ）を設ける事を特徴とした真円ロータリーエンジンのシール。
【請求項１９】
排気弁（３２）の先端部にひっかけ付きの溝を設け、溝の中の外側に鋼製シール（５０Ｃ）を設けその奥の方にひっかけ付きの柔軟性の材質にしその中に空洞（５１Ｃ）を設けて圧縮気体を入れた事を特徴とした真円ロータリーエンジンのシール。
【請求項２０】
排気弁（３２）の先端部にひっかけ付きの溝を設け、溝の奥の方に柔軟性の材質（６２Ａ）にして中に圧縮空気を入れた空洞にしその表側にひっかけ付きの鋼製シール（５０Ｃ）を設ける事を特徴とした真円ロータリーエンジンのシール。
【請求項２１】
ロータの先端部にひっかけ付きの溝を設け、溝の奥の方に柔軟性の材質（６２Ａ）にして圧縮された気体を入れた空洞（６２Ｂ）を設けその外側にひっかけ付きの鋼製シール（６０Ａ）を設ける事を特徴とした真円ロータリーエンジンのシール。
【請求項２２】
ロータ（１０）の先端部にひっかけ付きの溝を設け、溝の中の外側にひっかけ付きの柔軟性の材質（６２Ｃ）にしその内側にひっかけ付きの何本かの鋼製シール（６０Ｂ）、（８１）（８２）を設ける事を特徴とした真円ロータリーエンジンのシール。」（第１５ページ第２１行ないし第１７ページ第１０行）
　
（イ）「【００２３】
ロータと吸入弁３１が等角回転で同方向に回転し、ロータ前端部２からロータ後端部２２の間がロータ枠の半径の弧状で両端が角状なので始めにロータ前端部と吸入弦部１９が接っし回転が進むにつれてロータ弧状と吸入最短半径２０から吸入最短半径２１の間と接っし次にロータ後端部と吸入弦部が回転しながら接っする形とする。吸入弁のシール部と本体の間の境い目とロータの先端部がひっかからないようにする。
【００２４】
ロータと排気弁が等角回転で同方向に回転し、ロータ前端部からロータ後端部の間がロータ枠の半径の弧状で両端が角状なので始めにロータ前端部と排気弦部６が接っし回転が進むにつれてロータ弧状６８と排気最短半径４から排気最短半径５の間と接っし次にロータ後端部と排気弦部６が回転しながら接っしさせる排気弦部の形とする。
【００２５】
切り込み半径２９と切り込み半径３０とその途中の半径も吸入弁の芯から同じくする。
【００２６】
吸入弁先端部に溝を設け溝に耐熱性のゴム４１を設けてその先端に真鍮のシール４０を設けて溝より中心部の方に設けた締め付け穴を設け真鍮に固着した何本かのワイヤーをゴムと吸入弁体を通して締め付け穴まで通してワイヤーの先端をボルト状にしてナットにより締め付けてボルトとナットを耐熱性の接着剤より固める。吸入弁の先端部にひっかけ付き
のゴムシール４１Ａを設けるか又はひっかけ付きの鋼製シールの奥の方に圧縮気体を入れたゴムを入れるか又はひっかけ付きのゴムのシール包み４１Ｄの中にひっかけ付きの鋼製シール４０Ｂを設ける。
【００２７】
排気弁の先端部に溝を設け、溝に耐熱性のゴム５１を設けてその先端に真鍮のシール５０を設け、溝より中心部の方に締め付け穴５５を設け、真鍮に固着した何本かのワイヤー５２、５４をゴムと排気弁体を通して締め付け穴まで通してワイヤーの先端にボルトを固着してナットにより締め付けてボルトとナットを接着剤により固めるか又は締め付け穴にセメント又は耐熱性の樹脂を入れて固める。排気弁のシール部と本体の境い目とロータ角部がひっかからないようにする。排気弁３２の先端部にひっかけ付きのゴムのシール包み５１Ａの中にひっかけ付きの鋼製シール５０Ａを設けるか又はひっかけ付きの柔軟シール５０Ｂを設けるか又はひっかけ付きの鋼製シール５０Ｃの奥に圧縮気体を入れた空洞を設けたゴムクッションを設ける。
【００２８】
ロータの先端部に溝を設けて溝の中に耐熱性のゴム６２を入れて溝より中心部の方に間を設けて締め付け穴６５を設け、ゴムの先端部に２本の真鍮のシール２、６０を設けて真鍮に何本かのワイヤーを固着してワイヤー６３、６４、６６、６７でゴムとロータ本体を通して締め付け穴まで通してワイヤーの先端をボルト状にしてナットにより締め付けて接着剤により固める。ロータ先端部にひっかけ付きの溝を設け、溝の中にひっかけ付きの鋼製シール６０Ａを設けてその奥に圧縮気体を入れた空洞６２Ｂを設けたゴムクッション６２Ａを設けるか又はひっかけ付きのゴムのシール包み６２Ｃの中にひっかけ付きの何本かの鋼製シール６０Ｂ、８１、８２、を設ける。ロータ前端部２とロータ後端部２２の長さは排気枠７と切り込み角部７Ａの間の長さよりいくらか長くしロータ前端部とロータ後端部の間はロータ枠９の半径の弧状と同じ弧とする。ロータ後部１６と吸入角部１８が接っしさせながら等角回転して出来たロータ後部１６の形とする。ロータ前部８と排気角部３が接っしさせながら等角回転し出来たロータ前部の形とする。」（第１９ページ第３３行ないし第２０ページ第２６行）
　
（ウ）「【産業上の利用可能性】
【００２９】
真円ロータリーエンジンとそのシール。」（第２０ページ第２７ないし２９行）
　
（２）ここで、上記（１）の（ア）ないし（ウ）及び図面の記載からみて、次のことが分かる。
　
（エ）上記（ア）ないし（ウ）及び図面の記載から、真円ロータリーエンジンのロータの先端部の角状となっているロータ前端部２及びロータ後端部２２の角の方に欠けた溝を設け、溝にシール部材を設けていることが分かる。
　
（オ）上記（ア）ないし（ウ）及び図面の記載から、吸入弁３１でロータ後部１６に接っする吸入角部１８で角の方に欠けた溝を設け、溝にシール部材を設けていることが分かる。
　
（カ）上記（ア）ないし（ウ）及び図面の記載から、排気弁３２でロータ前部３２に接っする排気角部３で角の方に欠けた溝を設け、溝にシール部材を設けていることが分かる。
　
（３）上記（１）及び（２）を総合すると、刊行物１には、次の３つの発明（以下、「刊行物１に記載された発明１ないし３」という。）が記載されていると認められる。
　
＜刊行物１に記載された発明１＞
「真円ロータリーエンジンのロータの先端部の角状となっているロータ前端部２及びロータ後端部２２の角の方に欠けた溝を設け、溝にシール部材を設ける真円ロータリーエンジンのシール」
　
＜刊行物１に記載された発明２＞
「吸入弁３１でロータ後部１６に接っする吸入角部１８で角の方に欠けた溝を設け、溝にシール部材を設ける吸入弁のシール。」
　
＜刊行物１に記載された発明３＞
「排気弁３２でロータ前部３２に接っする排気角部３で角の方に欠けた溝を設け、溝にシール部材を設ける排気弁のシール。」
　
３−２．刊行物２
（１）原査定の拒絶の理由に引用された刊行物である、特開昭５６−６００２号公報（以下、「刊行物１」という。）には、例えば、下記の事項が図面とともに記載されている。
　
（ａ）「エピトロコイド曲線を有したセンターケーシングの内壁を、多角形状ピストンが回動する構成の回転内燃機関、又は、回転機関の気密装置と、それに関連する周辺部材等を含むこの発明の内容は、トロコイド或いは、ハイポトロコイド曲線を有したセンターケーシングの内壁を、多角形状ピストン或いは多辺形状ピストンが回動する構成の回転機関、回転機械にも適用出来る。」（第２ページ左下欄第２ないし１２行）
　
（ｂ）「多角形状ピストンの頂部え、回動自在に遊嵌してある所の、頂点シールの嵌装部材（２）には、バネを有した頂点シール（３）が嵌装されている。」（第２ページ右下欄第１４ないし１７行）
　
（ｃ）「第３図で示すように、頂点シールの嵌装部材（２３）には、複数の頂点シールの為の、複数の嵌装溝が設けてある。そして、相隣る頂点シールの間には、壁（２４）が設られる構成であり又、図面第６図は、相隣る複数の、バネを有した頂点シール（２６，２７）の間え、壁（２４，２５）を介在させた構成の、断面を含む斜視図の図例であって、・・・中略・・・頂点シールは、それぞれのバネ（２８，２９）によって押圧される。」（第４ページ左下欄第１ないし１５行）
　
（ｄ）「エピトロコイド曲線によるセンターケーシング内を回動する多角形状ピストンの首振り角が、３０度に近づくと、從来の様な、多角形状ピストンに直接嵌装してある頂点シールでは、シール限界に至るが、この構成によると、多角形状ピストンに対して角度可変の頂点シールの嵌装部材は、揺動角度を大きくすることが出来て、多角形状ピストンの首振り角が大きい場合に適用出来、そしてシール限界に至らず、良好なシール性能を保持する。」（第５ページ右下欄第５ないし１６行）
　
（２）ここで、上記（１）の（ａ）ないし（ｄ）及び図面の記載からみて、次のことが分かる。
　
（ｅ）上記（ａ）ないし（ｄ）及び図面の記載から、回転内燃機関の気密装置において、多角形状ピストンの頂部の角部の角の方に欠けた穴を設け、穴に嵌装部材を設け、嵌装部材の中に内部からバネで押された頂点シールを設けていることが分かる。
　
（ｆ）上記（ａ）ないし（ｄ）及び図面の記載から、多角形状ピストンは、センターケーシングの内壁に接する方の角部で角の方に欠けた円状の空部を設け、空部に頂点シールを設けた嵌装部材を設けていることが分かる。
　
（３）上記（１）及び（２）を総合すると、刊行物２には、次の２つの発明（以下、「刊行物２に記載された発明１及び２」という。）が記載されていると認められる。
　
＜刊行物２に記載された発明１＞
「回転内燃機関の多角形状ピストンの頂部の角部の角の方に欠けた穴を設け、穴に嵌装部材を設け、嵌装部材の中に内部からバネで押された頂点シールを設け、前記穴に頂点シール入れの嵌装部材を設ける回転内燃機関の気密装置。」
　
＜刊行物２に記載された発明２＞
「回転内燃機関の多角形状ピストンでセンターケーシングの内壁に接する方の角部で角の方に欠けた円状の空部を設け、空部に頂点シールを設けた嵌装部材を設ける気密装置。」
　
４．対比・判断
４−１．本願発明１について
　本願発明１と刊行物１に記載された発明１とを対比すると、その構造または技術的意義からみて、刊行物１に記載された発明１における「角状となっているロータ前端部２及びロータ後端部２２」は、本願発明１における「角部」に相当し、同様に、「溝」は「穴」に相当する。
　また、刊行物１に記載された発明１における「溝にシール部材を設ける」は、本願発明１における「穴に微回転を設け、微回転の中に内部からバネで押された微出入を設け、前記穴に微出入入れの微回転を設ける」と、「穴にシール部材を設ける」という限りにおいて相当する。
　したがって、本願発明１と刊行物１に記載された発明１とは、
「真円ロータリエンジンのロータの先端部の角部の角の方に欠けた穴を設け、穴にシール部材を設ける真円ロータリーエンジンのシール」
である点で一致し、次の点で相違する。
　
［相違点Ａ］
　穴にシール部材を設ける構成に関し、本願発明１は、「穴に微回転を設け、微回転の中に内部からバネで押された微出入を設け、前記穴に微出入入れの微回転を設ける」構成としているのに対し、刊行物１に記載された発明１は溝（本願発明１における「穴」に相当）に微回転を設け、微回転の中に内部からバネで押された微出入を設け、前記溝（本願発明１における「穴」に相当）に微出入入れの微回転を設ける構成とはなっていない点（以下、「相違点Ａ」という。）。
　
　上記相違点Ａについて検討する。
　刊行物２に記載された発明１は、「回転内燃機関の多角形状ピストンの頂部の角部の角の方に欠けた穴を設け、穴に嵌装部材を設け、嵌装部材の中に内部からバネで押された頂点シールを設け、前記穴に頂点シール入れの嵌装部材を設ける回転内燃機関の気密装置。」であり、多角形状ピストンがセンターケーシングの内壁に接する際、嵌装部材を回転させることで従来のものよりシール性能を向上させるものであって（上記３−２．（１）（ｄ））、本願発明１におけるシールと同様の作用を有するものである。
　そして、本願発明１と刊行物２に記載された発明１とを対比すると、その構造または技術的意義からみて、刊行物２に記載された発明１における「頂部」は、本願発明１における「先端部」に相当し、以下同様に、「嵌装部材」は「微回転」に、「頂点シール」は「微出入」に、「気密装置」は「シール」に、それぞれ相当する。
　また、刊行物２に記載された発明１における「回転内燃機関」は、本願発明１における「真円ロータリーエンジン」と、「ロータリーエンジン」という限りにおいて相当する。
　さらに、上記３−２．（１）（ａ）の「エピトロコイド曲線を有したセンターケーシングの内壁を、多角形状ピストンが回動する」という記載事項から、刊行物２に記載された発明１における「多角形状ピストン」は、本願発明１における「ロータ」に相当する。
　よって、刊行物２に記載された発明１を本願発明１の用語を用いて表現すると、
「ロータリーエンジンのロータの先端部の角部の角の方に欠けた穴を設け、穴に微回転を設け、微回転の中に内部からバネで押された微出入を設け、前記穴に微出入入れの微回転を設けるロータリーエンジンのシール。」
となる。
　そうすると、刊行物１に記載された発明１において、真円ロータリーエンジンのロータの備えるシール部材として、刊行物２に記載された発明１を採用し、上記相違点Ａに係る本願発明１の発明特定事項のようにすることは、当業者が容易に想到し得たことである。
　
　そして、本願発明１を全体としてみても、刊行物１に記載された発明１及び刊行物２に記載された発明１から予測される以上の効果が生じたものとも認められない。
　
　したがって、本願発明１は、刊行物１に記載された発明１及び刊行物２に記載された発明１に基づいて、当業者が容易に想到し得たものである。
　
４−２．本願発明２について
　本願発明２と刊行物１に記載された発明２とを対比すると、その構造または技術的意義からみて、刊行物１に記載された発明２における「吸入弁３１」は、本願発明２における「吸入弁」に相当し、以下同様に、「ロータ後部１６」は「ロータ後部」に、「接っする」は「接する」に、「吸入角部１８」は「角部」に、それぞれ相当する。
　また、刊行物１に記載された発明２における「溝」は、本願発明２における「円状の空部」に、「空部」という限りにおいて相当し、さらに、刊行物１に記載された発明２における「シール部材」は、本願発明２における「微出入を設けた微回転」を包含するものである。
　したがって、本願発明２と刊行物１に記載された発明２とは、
「吸入弁でロータ後部に接する方の角部で角の方に欠けた空部を設け空部にシール部材を設ける吸入弁のシール。」
である点で一致し、次の点で相違する。
　
［相違点Ｂ］
　空部にシール部材を設ける構成に関し、本願発明２は、「円状」の空部を設け、空部に「微出入を設けた微回転」を設けるのに対し、刊行物１に記載された発明２は、空部が円状ではなく、空部に微出入を設けた微回転を設ける構成とはなっていない点（以下、「相違点Ｂ」という。）。
　
　上記相違点Ｂについて検討する。
　刊行物２に記載された発明２は、「回転内燃機関の多角形状ピストンでセンターケーシングの内壁に接する方の角部で角の方に欠けた円状の空部を設け、空部に頂点シールを設けた嵌装部材を設ける気密装置。」であり、（回転部材である）多角形状ピストンが、（被接触部である）センターケーシングの内壁に接する際、嵌装部材を回転させることで従来のものよりシール性能を向上させるものであって（上記３−２．（１）（ｄ））、本願発明２におけるシールと同様の作用を有するものである。
　そして、本願発明２と刊行物２に記載された発明２とを対比すると、その構造または技術的意義からみて、刊行物２に記載された発明２における「頂点シール」は、本願発明２における「微出入」に相当し、同様に、「嵌装部材」は「微回転」に、「気密装置」は「シール」に、それぞれ相当する。
　また、刊行物２に記載された発明２における「回転内燃機関の多角形状ピストン」は、本願発明２における「吸入弁」と、「回転部材」という限りにおいて相当し、さらに、刊行物２に記載された発明２における「センターケーシングの内壁」は、本願発明２における「ロータ後部」と、「被接触部」という限りにおいて相当する。
　よって、刊行物２に記載された発明２を本願発明２の用語を用いて表現すると、
「回転部材で被接触部に接する方の角部で角の方に欠けた円状の空部を設け、空部に微出入を設けた微回転を設けるシール。」
となる。
　そうすると、刊行物１に記載された発明２において、回転部材である吸入弁３１（本願発明２における「吸入弁」に相当）の備えるシール部材として、刊行物２に記載された発明２を採用し、上記相違点Ｂに係る本願発明２の発明特定事項のようにすることは、当業者が容易に想到し得たことである。
　
　そして、本願発明２を全体としてみても、刊行物１に記載された発明２及び刊行物２に記載された発明２から予測される以上の効果が生じたものとも認められない。
　
　したがって、本願発明２は、刊行物１に記載された発明２及び刊行物２に記載された発明２に基づいて、当業者が容易に想到し得たものである。
　
４−３．本願発明３について
　本願発明３と刊行物１に記載された発明３とを対比すると、その構造または技術的意義からみて、刊行物１に記載された発明３における「排気弁３２」は、本願発明３における「排気弁」に相当し、以下同様に、「ロータ前部３２」は「ロータ前部」に、「接っする」は「接する」に、「排気角部３」は「角部」に、それぞれ相当する。
　また、刊行物１に記載された発明３における「溝」は、本願発明３における「円状の空部」に、「空部」という限りにおいて相当し、さらに、刊行物１に記載された発明３における「シール部材」は、本願発明３における「微出入を設けた微回転」を包含するものである。
　したがって、本願発明３と刊行物１に記載された発明３とは、
「排気弁でロータ前部と接する方の角部で角の方に欠けた空部を設け、空部にシール部材を設ける排気弁のシール。」
である点で一致し、次の点で相違する。
　
［相違点Ｃ］
　空部にシール部材を設ける構成に関し、本願発明３は、「円状」の空部を設け、空部に「微出入を設けた微回転」を設けるのに対し、刊行物１に記載された発明３は、空部が円状ではなく、空部に微出入を設けた微回転を設ける構成とはなっていない点（以下、「相違点Ｃ」という。）。
　
　上記相違点Ｃについて検討する。
　刊行物２に記載された発明２は、「回転内燃機関の多角形状ピストンでセンターケーシングの内壁に接する方の角部で角の方に欠けた円状の空部を設け、空部に頂点シールを設けた嵌装部材を設ける気密装置。」であり、（回転部材である）多角形状ピストンが、（被接触部）であるセンターケーシングの内壁に接する際、嵌装部材を回転させることで従来のものよりシール性能を向上させるものであって（上記３−２．（１）（ｄ））、本願発明３におけるシールと同様の作用を有するものである。
　そして、本願発明３と刊行物２に記載された発明２とを対比すると、その構造または技術的意義からみて、刊行物２に記載された発明２における「頂点シール」は、本願発明３における「微出入」に相当し、同様に、「嵌装部材」は「微回転」に、「気密装置」は「シール」に、それぞれ相当する。
　また、刊行物２に記載された発明２における「回転内燃機関の多角形状ピストン」は、本願発明３における「排気弁」と、「回転部材」という限りにおいて相当し、さらに、刊行物２に記載された発明２における「センターケーシングの内壁」は、本願発明３における「ロータ前部」と、「被接触部」という限りにおいて相当する。
　よって、刊行物２に記載された発明２を本願発明３の用語を用いて表現すると、
「回転部材で被接触部に接する方の角部で角の方に欠けた円状の空部を設け、空部に微出入を設けた微回転を設けるシール。」
となる。
　そうすると、刊行物１に記載された発明３において、回転部材である排気弁３２（本願発明３における「排気弁」に相当）の備えるシール部材として、刊行物２に記載された発明２を採用し、上記相違点Ｃに係る本願発明３の発明特定事項のようにすることは、当業者が容易に想到し得たことである。
　
　そして、本願発明３を全体としてみても、刊行物１に記載された発明３及び刊行物２に記載された発明２から予測される以上の効果が生じたものとも認められない。
　
　したがって、本願発明３は、刊行物１に記載された発明３及び刊行物２に記載された発明２に基づいて、当業者が容易に想到し得たものである。
　
５．むすび
　以上のとおり、本願発明１は、刊行物１に記載された発明１及び刊行物２に記載された発明１に基づいて、当業者が容易に発明をすることができたものであり、本願発明２は、刊行物１に記載された発明２及び刊行物２に記載された発明２に基づいて、当業者が容易に発明をすることができたものであり、また、本願発明３は、刊行物１に記載された発明３及び刊行物２に記載された発明２に基づいて、当業者が容易に発明をすることができたものであるので、本願発明１ないし３は、特許法第２９条第２項の規定により特許を受けることができない。
　よって、結論のとおり審決する。